【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
第１のコイルを含む第１の装置と第２のコイルを含む第２の装置との間で、前記第１のコイルと前記第２のコイルを電磁的に結合させて電力の伝送を行う非接触電力伝送装置であって、
前記第１の装置は磁界を検出する素子を含み、
前記第２の装置は磁界を発生する素子を含み、
前記第１のコイルと前記第２のコイルが接近する際に前記磁界を検出する素子に前記磁界を発生する素子は接近し、
前記第１の装置は、前記磁界を発生する素子が発生する磁界を前記磁界を検出する素子が検出した結果に基づいて前記第２の装置が接近したか否かを認識することを特徴とする非接触電力伝送装置。
【請求項２】
前記磁界を検出する素子はホール素子であることを特徴とする請求項１に記載の非接触電力伝送装置。
【請求項３】
前記磁界を発生する素子は磁石であることを特徴とする請求項１または２に記載の非接触電力伝送装置。
【請求項４】
前記第１の装置は前記磁界を発生する素子が発生する磁界の方向を検出する検出回路をさらに含み、前記検出回路の検出結果に基づいて前記第２の装置を認識することを特徴とする請求項１乃至３のいずれかに記載の非接触電力伝送装置。
【請求項５】
前記第１の装置は、
交流電圧を前記第１のコイルに供給する送電回路と、
前記結果に基づいて前記送電回路の制御を行う制御回路と、
を含むことを特徴とする請求項１乃至４のいずれかに記載の非接触電力伝送装置。
【請求項６】
磁界を発生する素子を含む外部の装置との間で無接点電力伝送を行う非接触電力伝送装置であって、
前記無接点電力伝送を行うためのコイルと、
磁界を検出する素子と、
を含み、
前記磁界を発生する素子が発生する磁界を前記磁界を検出する素子が検出した結果に基づいて前記外部の装置が接近したか否かを認識することを特徴とする非接触電力伝送装置。
【請求項７】
前記磁界を検出する素子はホール素子であることを特徴とする請求項６に記載の非接触電力伝送装置。
【請求項８】
前記磁界を発生する素子が発生する磁界の方向を検出する検出回路をさらに含み、前記検出回路の検出結果に基づいて前記外部の装置を認識することを特徴とする請求項６または７のいずれかに記載の非接触電力伝送装置。
【請求項９】
交流電圧を前記コイルに供給する送電回路と、
前記結果に基づいて前記送電回路の制御を行う制御回路と、
を含むことを特徴とする請求項６乃至８のいずれかに記載の非接触電力伝送装置。
【請求項１０】
磁界を検出する素子を含む外部の装置との間で無接点電力伝送を行う非接触電力伝送装置であって、
前記無接点電力伝送を行うためのコイルと、
磁界を発生する素子と、
を含み、
前記磁界を発生する素子が発生する磁界を前記磁界を検出する素子が検出した結果に基づいて前記外部の装置に接近したか否かを認識させることを特徴とする非接触電力伝送装置。
【請求項１１】
前記磁界を発生する素子は磁石であることを特徴とする請求項１０に記載の非接触電力伝送装置。
【請求項１２】
前記コイルに伝送される電力を受ける受電装置をさらに含むことを特徴とする請求項１０または１１に記載の非接触電力伝送装置。
【手続補正２】
【補正対象書類名】明細書
【補正対象項目名】０００７
【補正方法】変更
【補正の内容】
【０００７】
本発明の一態様の非接触電力伝送装置は、第１のコイルを含む第１の装置と第２のコイルを含む第２の装置との間で、前記第１のコイルと前記第２のコイルを電磁的に結合させて電力の伝送を行う非接触電力伝送装置であって、前記第１の装置は磁界を検出する素子を含み、前記第２の装置は磁界を発生する素子を含み、前記第１のコイルと前記第２のコイルが接近する際に前記磁界を検出する素子に前記磁界を発生する素子は接近し、前記第１の装置は、前記磁界を発生する素子が発生する磁界を前記磁界を検出する素子が検出した結果に基づいて前記第２の装置が接近したか否かを認識することを特徴とする。
また、前記磁界を検出する素子はホール素子であることを特徴とする。
また、前記磁界を発生する素子は磁石であることを特徴とする。
また、前記第１の装置は前記磁界を発生する素子が発生する磁界の方向を検出する検出回路をさらに含み、前記検出回路の検出結果に基づいて前記第２の装置を認識することを特徴とする。
また、前記第１の装置は、交流電圧を前記第１のコイルに供給する送電回路と、前記結果に基づいて前記送電回路の制御を行う制御回路と、を含むことを特徴とする。
本発明の別の態様の非接触電力伝送装置は、磁界を発生する素子を含む外部の装置との間で無接点電力伝送を行う非接触電力伝送装置であって、前記無接点電力伝送を行うためのコイルと、磁界を検出する素子と、を含み、前記磁界を発生する素子が発生する磁界を前記磁界を検出する素子が検出した結果に基づいて前記外部の装置が接近したか否かを認識することを特徴とする。
また、前記本発明の別の態様の非接触電力伝送装置において、前記磁界を検出する素子はホール素子であることを特徴とする。
また、前記本発明の別の態様の非接触電力伝送装置において、前記磁界を発生する素子が発生する磁界の方向を検出する検出回路をさらに含み、前記検出回路の検出結果に基づいて前記外部の装置を認識することを特徴とする。
また、前記本発明の別の態様の非接触電力伝送装置において、交流電圧を前記コイルに供給する送電回路と、前記結果に基づいて前記送電回路の制御を行う制御回路と、
を含むことを特徴とする。
本発明のさらに別の態様の非接触電力伝送装置において、磁界を検出する素子を含む外部の装置との間で無接点電力伝送を行う非接触電力伝送装置であって、前記無接点電力伝送を行うためのコイルと、磁界を発生する素子と、を含み、前記磁界を発生する素子が発生する磁界を前記磁界を検出する素子が検出した結果に基づいて前記外部の装置に接近したか否かを認識させることを特徴とする非接触電力伝送装置。
また、前記本発明のさらに別の態様の非接触電力伝送装置において、前記磁界を発生する素子は磁石であることを特徴とする。
また、前記本発明のさらに別の態様の非接触電力伝送装置において、前記コイルに伝送される電力を受ける受電装置をさらに含むことを特徴とする。
また、上記の本発明に係る第１の発明は、１次コイルを含む送電装置と、２次コイルを含む受電装置とからなり、前記１次コイルと前記２次コイルとを電磁的に結合させて、前記送電装置が前記受電装置に対して電力の伝送を行うようになっている非接触電力伝送装置であって、前記送電装置は、少なくとも１つのホール素子を備え、前記受電装置は、前記１次コイルと前記２次コイルとが接近する際に、前記ホール素子と接近する少なくとも１つの磁石を備え、かつ、前記送電装置は、前記ホール素子の出力に基づいて前記受電装置が接近したことを認識するようになっている。
【手続補正３】
【補正対象書類名】明細書
【補正対象項目名】０００８
【補正方法】変更
【補正の内容】
【０００８】
また、上記の本発明に係る第２の発明は、第１の発明において、前記ホール素子と前記磁石の両者の能力は、前記１次コイルと前記２次コイルとが接近して前記送電装置が前記受電装置に電力の伝送が可能な場合に、前記ホール素子から所望の出力が得られるような関係を有するようにそれぞれ設定されている。
【手続補正４】
【補正対象書類名】明細書
【補正対象項目名】０００９
【補正方法】変更
【補正の内容】
【０００９】
また、上記の本発明に係る第３の発明は、第１または第２の発明において、前記送電装置は、所定の交流電圧を生成し、この生成した交流電圧を前記１次コイルに供給する送電回路と、前記ホール素子の出力に基づいて前記受電装置の個別認識を行い、この認識結果に基づいて前記送電回路の送電制御を行う制御回路と、を備えている。
【手続補正５】
【補正対象書類名】明細書
【補正対象項目名】００１０
【補正方法】変更
【補正の内容】
【００１０】
また、上記の本発明に係る第４の発明は、第３の発明において、前記送電装置は、前記ホール素子の出力電圧に基づいて前記磁石の磁極を検出する磁極検出回路をさらに備え、前記制御回路は、前記磁極検出回路の検出磁極に基づいて前記受電装置の個別認識を行うようになっている。このような構成からなる本発明によれば、送電装置が受電装置を認識したり、その認識に基づいて送電制御を行う装置を構築する場合に、受電装置側の構成を簡略化できる上に、その製造コストを抑制できる。